(57)【要約】      （修正有）【課題】視覚刺激を与える場合、使用者の目をより確実に左右に誘導して集中力を高めることができる脳波誘導装置を提供する。【解決手段】音声信号を右側スピーカ２７ａから出力する右音声オン状態と、右出力端子６’から右駆動信号を出力する右駆動状態と、音声信号を左側スピーカ２７ｂから出力する左音声オン状態と、左力端子７’から左駆動信号を出力する左駆動状態とを左右交互に繰り返し切り換え可能な切換信号出力手段を有する脳波誘導装置１において、右出力端子６’と左出力端子７’に光駆動装置４５を介して発光器４１を接続し、右音声オン状態に同期して右駆動信号により発光器の全ＬＥＤ４６を左端から右端に流れるように点灯させ、左音声オン状態に同期して左駆動信号により全ＬＥＤを右端から左端に流れるように点灯させ、ＬＥＤの左右方向への点灯により使用者の視線を誘導するように構成した。【選択図】図４
0003198861.tif 000002
【実用新案登録請求の範囲】
【請求項１】
入力される音源の音声信号を、右側スピーカのみから一定時間出力する右音声オン状態と、上記右音声オン状態に同期して右出力端子のみから右駆動信号を上記一定時間出力する右駆動状態と、
上記音声信号を左側スピーカのみから上記一定時間出力する左音声オン状態と、上記左音声オン状態に同期して左出力端子のみから左駆動信号を上記一定時間出力する左駆動状態とを、交互に繰り返し切り換え可能な切換信号出力手段を有する脳波誘導装置において、
上記右出力端子と上記左出力端子に、棒状水平筐体に横一列に複数のＬＥＤを有する発光器を備えた光駆動装置を接続し、
当該光駆動装置は、上記右駆動信号と上記左駆動信号を交互に受信して各々右駆動指令と左駆動指令を交互に出力する信号受信手段と、
上記信号受信手段からの上記右駆動指令の受信に基づいて、上記右駆動状態の上記一定時間において、上記発光器の左端のＬＥＤから右端のＬＥＤまでの全ＬＥＤを左から右に流れるように順次点灯させる右側光駆動手段と、
上記信号受信手段からの上記左駆動指令の受信に基づいて、上記左駆動状態の上記一定時間において、上記発光器の右端のＬＥＤから左端のＬＥＤまでの全ＬＥＤを右から左に流れるように順次点灯させる左側光駆動手段とを具備するものである脳波誘導装置。
【請求項２】
上記右側光駆動手段は、上記右駆動状態における上記一定期間の開始タイミングと左端のＬＥＤの点灯タイミングが一致し、上記右駆動状態における上記一定時間の終了タイミングと右端のＬＥＤの点灯のタイミングが一致するように、左から右にＬＥＤを流れるように順次点灯させるものであり、
上記左側光駆動手段は、上記左駆動状態における上記一定期間の開始タイミングと右端のＬＥＤの点灯タイミングが一致し、上記左駆動状態における上記一定時間の終了タイミングと左端のＬＥＤの点灯のタイミングが一致するように、右から左にＬＥＤを流れるように順次点灯させるものである請求項１記載の脳波誘導装置。
【請求項３】
片手で握ることが可能な大きさであって上記左出力端子と上記右出力端子から上記左駆動信号又は上記右駆動信号の供給を受けて振動する振動器を左右一対に各々設け、
上記左駆動信号及び上記右駆動信号に基づいて上記一定時間毎に一対の上記振動器を左右交互に振動させるものである請求項１又は２記載の脳波誘導装置。
【請求項４】
上記発光器の上記ＬＥＤを左右に流れるように点灯させる「光モード」と、上記振動器を左右交互に振動させる「振動モード」と、上記ＬＥＤの点灯と上記振動器の振動を同期して行う「双方モード」とを切換え可能なモード切換スイッチ手段を設けたものであることを特徴とする請求項１〜３の何れかに記載の脳波誘導装置。
【考案の詳細な説明】
【技術分野】
【０００１】
本考案は、聴覚、視覚等の感覚器官に程よい刺激を与えて脳波の発生を誘導させる脳波誘導装置に関するものである。
【背景技術】
【０００２】
本考案の考案者は、既に、一定時間毎に、左右のスピーカにおいて音楽信号を交互に再生すると共に、上記音楽信号の左右交互の再生タイミングに同期して、左右の一対の発光器（ＬＥＤ）を左右交互に点灯することにより、使用者に聴覚刺激と視覚刺激を左右交互に与え、これにより、効果的にα波等の脳波を誘導する装置を開発した（特許文献１）。
【０００３】
また、眼鏡型のフレームの目に対応する前面パネルの内側に、右目用と左目用の複数のＬＥＤを並設し、これらのＬＥＤの点滅を左側又は右側に順次に往復移動させることにより、脳刺激動作を行う装置が提案されている（特許文献２、図１、図１２参照）。
【先行技術文献】
【特許文献】
【０００４】
【特許文献１】実用新案登録第３１５４５５５号公報
【特許文献２】特表２０１１−５２０５４７号公報
【考案の概要】
【０００５】
ところで、特許文献１の装置では、発光器のＬＥＤが左右に１個ずつ存在するので、左右のＬＥＤの点灯を交互に目で追うことになるが、左から右、又は、右から左に目を移動する際、途中で視線が別の方向に向いてしまうことが考えられ、より確実に使用者の目を、左から右、又は、右から左に円滑に移動させる装置が望まれている。
【０００６】
また、特許文献２の装置では、眼鏡型のフレームを使用者の顔に装着する必要があるため、当該フレームの装着状態において、装着に違和感を感じ、集中力を高めるには適さないという課題がある。
【０００７】
また、同文献２には、左右の振動パッド又は左右の音声とＬＥＤの点滅を同期させるとの記載はあるが、どのように同期させるか、についての言及はない。
【０００８】
本考案は上記課題に鑑みてなされたものであり、視覚刺激を与える場合、眼鏡フレーム等の装着をすることなく、使用者の目を左右に確実に誘導して集中力を高めることができる脳波刺激装置を提供することを目的とする。
【０００９】
また、本考案は使用者の目を左右に誘導するタイミングを左右の音声信号の切換タイミングに同期させることにより、より効果的に脳波を誘導し得る脳波誘導装置を提供することを目的とする。
【課題を解決するための手段】
【００１０】
上記の目的を達成するため本考案は、
第１に、入力される音源の音声信号を、右側スピーカのみから一定時間出力する右音声オン状態と、上記右音声オン状態に同期して右出力端子のみから右駆動信号を上記一定時間出力する右駆動状態と、上記音声信号を左側スピーカのみから上記一定時間出力する左音声オン状態と、上記左音声オン状態に同期して左出力端子のみから左駆動信号を上記一定時間出力する左駆動状態とを、交互に繰り返し切り換え可能な切換信号出力手段を有する脳波誘導装置において、上記右出力端子と上記左出力端子に、棒状水平筐体に横一列に複数のＬＥＤを有する発光器を備えた光駆動装置を接続し、当該光駆動装置は、上記右駆動信号と上記左駆動信号を交互に受信して各々右駆動指令と左駆動指令を交互に出力する信号受信手段と、上記信号受信手段からの上記右駆動指令の受信に基づいて、上記右駆動状態の上記一定時間において、上記発光器の左端のＬＥＤから右端のＬＥＤまでの全ＬＥＤを左から右に流れるように順次点灯させる右側光駆動手段と、上記信号受信手段からの上記左駆動指令の受信に基づいて、上記左駆動状態の上記一定時間において、上記発光器の右端のＬＥＤから左端のＬＥＤまでの全ＬＥＤを右から左に流れるように順次点灯させる左側光駆動手段とを具備するものである脳波誘導装置により構成される。
【００１１】
上記一定時間とは切換時間である切換タイミングの期間Ｔ１（＝Ｔ２＝Ｔ３・・）であり、例えば３秒に設定することができる。右駆動信号とは右電源出力ジャック（６’）から出力される駆動信号であり、右駆動信号Ｄ１，Ｄ３，Ｄ４・・・をいう。左駆動信号とは左電源出力ジャック（７’）から出力される駆動信号であり、左駆動信号Ｄ２，Ｄ４，Ｄ６・・・をいう。上記右出力端子は例えば右電源出力ジャック（６’）、上記左出力端子は例えば左電源出力ジャック（７’）により構成することができる。上記切換信号出力手段は例えばタイマー回路（２６）により構成される。このように構成すると、上記一定時間、右側スピーカのみから例えば音楽信号が出力され、当該一定時間において発光器のＬＥＤが左端から右端に向かって流れるように順次点灯し、次の一定時間、左側のスピーカのみから上記音楽信号が出力され、当該一定時間において発光器のＬＥＤが右端から左端に向かって流れるように順次点灯し、このような動作が左右繰り返し行われる。従って、使用者は右側スピーカが再生されるときは、発光器の右側に向かうＬＥＤの点灯を目で追うことができ、左側スピーカが再生されるときは、発光器の左側に向かうＬＥＤの点灯を目で追うことができる。これにより、使用者の視線は常に発光器のＬＥＤの点灯の流れに誘導されることになり、視線が発光器から他の方向にずれることがない。よって、使用者の集中力を効果的に高めることができ、脳波を円滑に誘導することができる。
【００１２】
第２に、上記右側光駆動手段は、上記右駆動状態における上記一定期間の開始タイミングと左端のＬＥＤの点灯タイミングが一致し、上記右駆動状態における上記一定時間の終了タイミングと右端のＬＥＤの点灯のタイミングが一致するように、左から右にＬＥＤを流れるように順次点灯させるものであり、上記左側光駆動手段は、上記左駆動状態における上記一定期間の開始タイミングと右端のＬＥＤの点灯タイミングが一致し、上記左駆動状態における上記一定時間の終了タイミングと左端のＬＥＤの点灯のタイミングが一致するように、右から左にＬＥＤを流れるように順次点灯させるものである上記第１記載の脳波誘導装置により構成される。
【００１３】
上記右側光駆動手段において、上記一定期間の開始タイミングを例えば時刻Ｓ３とすると、この時刻Ｓ３のタイミングで左端のＬＥＤが点灯し、その後ＬＥＤが右側に流れるように点灯して行き、上記一定期間の終了タイミングである時刻Ｓ４において右端のＬＥＤが点灯し、これで左端から右端へのＬＥＤの点灯は終了する。その後、左側光駆動手段において、上記一定期間の開始タイミングである時刻Ｓ４のタイミングで右端のＬＥＤが点灯し、その後ＬＥＤが左側に流れるように点灯して行き、上記一定期間の終了タイミングである時刻Ｓ５において左端のＬＥＤが点灯し、これで右端から左端へのＬＥＤの点灯は終了する。このように構成すると、右側の音楽信号の開始タイミングと発光器の左端から右端への点灯開始タイミングが一致し、右側の音声信号の終了タイミングと発光器の左端から右端への点灯終了タイミングが一致し、左側の音楽信号の開始タイミングと発光器の右端から左端への点灯開始タイミングが一致し、左側の音声信号の終了タイミングと発光器の右端から左端への点灯終了タイミングが一致するため、発光器の左右への流れと音楽信号の左右の切り換えが完全に同期することになり、より効果的に集中力を高めることができる。
【００１４】
第３に、片手で握ることが可能な大きさであって上記左出力端子と上記右出力端子から上記左駆動信号又は上記右駆動信号の供給を受けて振動する振動器を左右一対に各々設け、上記左駆動信号及び上記右駆動信号に基づいて上記一定時間毎に一対の上記振動器を左右交互に振動させるものである上記第１又は２記載の脳波誘導装置により構成される。
【００１５】
上記左右出力端子は右電源出力ジャック（６）及び左電源出力ジャック（７）により構成することができる。このように構成すると、音声信号による聴覚への刺激と、上記発光器のＬＥＤの左右への流れによる視覚刺激に加えて、振動器による触覚への刺激を同期して行うことができ、より効果的に脳波を誘導することができる。
【００１６】
第４に、上記発光器の上記ＬＥＤを左右に流れるように点灯させる「光モード」と、上記振動器を左右交互に振動させる「振動モード」と、上記ＬＥＤの点灯と上記振動器の振動を同期して行う「双方モード」とを切換え可能なモード切換スイッチ手段を設けたものであることを特徴とする上記第１〜３の何れかに記載の脳波誘導装置により構成される。
【００１７】
このように構成すると、音声信号による刺激を基本としながら、音声信号による刺激に同期して、振動器による触覚への刺激、又は、発光器による視覚への刺激、又は、振動器及び発光器の両方による触覚と視覚への同時刺激の３パターンを任意に選択することができ、状況に応じて、最適な刺激を選択して、効果的な脳波の誘導を行うことができる。
【考案の効果】
【００１８】
本考案によると、使用者自身に何ら装着物を装着することなく、使用者は右側スピーカが再生されるときは、発光器の右側に向かうＬＥＤの点灯を目で追うことができ、左側スピーカが再生されるときは、発光器の左側に向かうＬＥＤの点灯を目で追うことができ、これにより、使用者の視線は常に発光器のＬＥＤの点灯の流れに誘導されることになり、視線が発光器から他の方向にずれることがない。よって、使用者の集中力を効果的に高めることができ、脳波を円滑に誘導することができる。
【００１９】
また、右側の音楽信号の開始タイミングと発光器の左端から右端への点灯開始タイミングが一致し、右側の音声信号の終了タイミングと発光器の左端から右端への点灯終了タイミングが一致し、左側の音楽信号の開始タイミングと発光器の右端から左端への点灯開始タイミングが一致し、左側の音声信号の終了タイミングと発光器の右端から左端への点灯終了タイミングが一致するため、発光器の左右への流れと音楽信号の左右の切り換えが完全に同期することになり、より効果的に集中力を高めることができる。
【００２０】
また、音声信号による聴覚への刺激と、上記発光器のＬＥＤの左右への流れによる視覚刺激に加えて、振動器による触覚への刺激を同期して行うことができ、より効果的に脳波を誘導することができる。
【００２１】
また、音声信号による刺激を基本としながら、音声信号による刺激に同期して、振動器による触覚への刺激、又は、発光器による視覚への刺激、又は、振動器及び発光器の両方による触覚と視覚への同時刺激の３パターンを任意に選択することができ、状況に応じて、最適な刺激を選択して、効果的な脳波の誘導を行うことができる。
【図面の簡単な説明】
【００２２】
【図１】本考案に係る脳波誘導装置の斜視図である。
【図２】同上装置の電気的ブロック図である。
【図３】同上装置の各部の動作タイミングを示すタイミングチャートである。
【図４】同上装置の全体構成を示すブロック図である。
【図５】同上装置の音声左右切換手段又は電源左右切換手段の他の実施形態を示す電気的ブロック図である。
【図６】同上装置の振動機の断面図である。
【図７】同上装置の振動機を手で持った状態を示す図である。
【図８】同上装置の光駆動装置と発光器の電気的ブロック図である。
【図９】同上装置の制御部の機能ブロック図である。
【図１０】同上装置の発光器の正面図である。
【図１１】同上装置の駆動回路（右側光駆動手段）の動作タイミングを示すタイミングチャートである。
【図１２】同上装置の駆動回路（左側光駆動手段）の動作タイミングを示すタイミングチャートである。
【考案を実施するための形態】
【００２３】
以下、本考案に係る脳波誘導装置について詳細に説明する。
【００２４】
図１において、１は、上記脳波誘導装置の直方体形状の筺体（本体）であり、前面パネル２には、音声信号を出力するステレオ音声出力ジャック（左右音声出力端子）３、携帯音楽プレーヤ等の外部機器から出力される音声信号を入力するモノラル音声入力ジャック（音声入力端子）４、電源スイッチ５、右手に握るための振動器２８ａ（図４参照）を接続するための右出力端子としての右電源出力ジャック（右電源出力端子）６、左手に握るための振動器２８ｂ（図４参照）を接続するための左出力端子としての左電源出力ジャック（左電源出力端子）７、さらに出力端子として、右光用の右出力端子としての右電源出力ジャック（右電源出力端子）６’と左光用の左出力端子としての左電源出力ジャック（左電源出力端子）７’が設けられていると共に、振動モード、光モード、双方モードを択一的に選択するためのモード切換スイッチ４０を有している。また、背面パネル８には、外部のＤＣバッテリー等の直流電源装置を接続するためのＤＣ入力ジャック（電源入力端子）９、及び電源ランプ１０が設けられている。
【００２５】
かかる筺体１は、全体的にコンパクトに形成することができ、例えば横１００ｍｍ、縦１５０ｍｍ、高さ３０ｍｍ程度の片手で持つことができる程度の大きさに形成することができる。
【００２６】
上記脳波誘導装置は、図２に示すように構成されている。
【００２７】
上記モノラル音声信号入力ジャック４に接続された音声信号ライン４ａは分岐点Ｎ１にて右耳用の右音声ライン４ｂと左耳用の左音声ライン４ｃに分岐され、各々リレー回路１１内において、上記右音声ライン４ｂは音声左右切換スイッチ部（音声切換手段）１２を介して、ステレオ音声出力ジャック３の右音声出力端子３ａのみに接続され、上記左音声ライン４ｃは上記切換スイッチ部１２を介して、上記ステレオ音声出力ジャック３の左音声出力端子３ｂのみに接続されている。
【００２８】
上記音声左右切換スイッチ部１２は、上記右音声ライン４ｂを介して送出される音声信号をステレオ音声出力ジャック３の右音声出力端子３ａに送出する右音声オン状態と、上記左音声ライン４ｃを介して送出される音声信号をステレオ音声出力ジャック３の左音声出力端子３ｂに送出する左音声オン状態とを択一的に切り換えるものである。
【００２９】
具体的には、上記右音声ライン４ｂに接続された端子１５ａと音声出力ジャック３の右音声出力端子３ａに接続された端子１５ｂとを導通接続するための端子片１４ａと、上記左音声ライン４ｃに接続された端子１６ａと音声出力ジャック３の左音声出力端子３ｂに接続された端子１６ｂとを導通接続するための端子片１４ｂと、上記端子片１４ａと上記端子片１４ｂとを一定間隔を以って支持する駆動軸１７とを有しており、該駆動軸１７を電磁プランジャー等の切換器１８によって伸縮駆動することにより、上記端子片１４ａのみが右音声ライン４ｂ側の端子１５ａ，１５ｂを導通接続した状態（右音声オン状態）と、上記端子片１４ｂのみが左音声ライン４ｃ側の端子１６ａ，１６ｂを導通接続した状態（左音声オン状態）とを択一的に切換可能に構成されている。
【００３０】
従って、上記音声左右切換スイッチ部１２が右音声オン状態をとると、上記右音声ライン４ｂの音声信号のみがステレオ音声出力ジャック３の右音声出力端子３ａに送出された状態となり、左音声ライン４ｃは端子片１４ｂにより開放されたオフ状態となる（図３（ｃ）（ｄ）の期間Ｔ１）。
【００３１】
一方、上記音声左右切換スイッチ部１２が左音声オン状態をとると、上記右音声ライン４ｂは端子片１４ａにより遮断されたオフ状態となり、左音声ライン４ｃの音声信号のみがステレオ音声出力ジャック３の左音声出力端子３ｂに送出される状態となるように構成されている（図３（ｃ）（ｄ）期間Ｔ２）。
【００３２】
上記ＤＣ入力ジャック（電源入力端子）９に接続されたＤＣ電源供給ライン１９ａは電源スイッチ５’を介して分岐点Ｎ２にて右電源ライン１９ｂと左電源ライン１９ｃに分岐され、各々リレー回路１１内において、上記右電源ライン１９ｂは電源左右切換スイッチ部（電源切換手段）２０を介して、右電源出力ジャック（右電源出力端子）６に接続され、上記左電源ライン１９ｃは上記電源左右切換スイッチ部２０を介して、上記左電源出力ジャック（左電源出力端子）７に接続されている。
【００３３】
上記電源左右切換スイッチ部２０は、上記右電源ライン１９ｂを介して電源を右電源出力ジャック６に接続された右振動器２８ａ（図４参照）に供給する右電源供給状態と、上記左側電源供給ライン１９ｃを介して電源を左電源出力ジャック７に接続された左振動器２８ｂ（図４参照）に供給する左電源供給状態とを択一的に切り換えるものである。
【００３４】
具体的には、上記右電源ライン１９ｂに接続された端子２１ａと右電源出力ジャック６に接続された端子２１ｂとを導通接続するための端子片２２ａと、上記左電源ライン１９ｃに接続された端子２３ａと左電源出力ジャック７に接続された端子２３ｂとを導通接続するための上記端子片２２ｂと、上記端子片２２ａと上記端子片２２ｂとを一定間隔を以って支持する駆動軸２４とを有しており、該駆動軸２４を電磁プランジャー等の切換器２５によって伸縮駆動することにより、上記端子片２２ａのみが右電源ライン１９ｂ側の端子２１ａ，２１ｂを導通接続した状態（右電源供給状態）と、上記端子片２２ｂのみが左電源ライン１９ｃ側の端子２３ａ，２３ｂを導通接続した状態（左電源供給状態）とを択一的に切換可能に構成されている。
【００３５】
従って、上記電源左右切換スイッチ部２０が右電源供給状態をとると、上記右電源ライン１９ｂの電源が右電源出力ジャック６に供給された状態となり（図３（ｆ）の期間Ｔ１参照）、左電源ライン１９ｃは端子片２２ｂにより遮断されるオフ状態となる（図３（ｇ）の期間Ｔ１参照）。一方、上記電源左右切換スイッチ部２０が左電源供給状態をとると、上記右電源ライン１９ｂは端子片２２ａにより遮断されたオフ状態となり（図３（ｆ）の期間Ｔ２参照）、左電源ライン１９ｃの電源電圧が左電源出力ジャック７にのみ供給された状態となるように構成されている（図３（ｇ）の期間Ｔ２参照）。
【００３６】
ここで、図３（ｆ）のパルス信号Ｄ１，Ｄ３，Ｄ５・・を右駆動信号、同図（ｇ）のパルス信号Ｄ２，Ｄ４・・・を左駆動信号という。
【００３７】
尚、上記ＤＣ入力ジャック９に供給される電源はタイマー回路２６及び上記リレー回路１１にも供給される。
【００３８】
以下の説明において図３のタイミングチャートを使用して説明する。このタイミングチャートにおいて、（ａ）はタイマー回路２６の駆動信号の出力タイミングを示し、（ｂ）は上記音声左右切換スイッチ部１２の右音声オン状態（図中Ｒ）と左音声オン状態（図中Ｌ）の切換タイミングを示し、（ｃ）は右音声出力端子３ａに供給される音声信号とその出力タイミングを示し、（ｄ）は左音声出力端子３ｂに供給される音声信号とその出力タイミングを示し、（ｅ）は上記電源左右切換スイッチ部２０の右電源供給状態（図中Ｒ）と左電源供給状態（図中Ｌ）の切換タイミングを示し、（ｆ）は右電源出力ジャック６（６’）に供給される電源（右駆動信号Ｄ１，Ｄ３，Ｄ５・・・）の出力タイミングを示し、（ｇ）は左電源出力ジャック７（７’）に供給される電源（左駆動信号Ｄ２，Ｄ４・・）の出力タイミングを示している。
【００３９】
上記タイマー回路（切換信号出力手段）２６は、その出力部が上記切換器１８及び上記切換器２５に各々接続されており、両切換器１８，２５に同一タイミングで駆動信号（切換信号）を送出するものである。即ち、上記タイマー回路２６は図３（ａ）Ｔ１，Ｔ２，Ｔ３・・・に示すように、一定時間ｔ毎に加電圧（駆動信号）を上昇した状態（タイマーオンの状態、図３（ａ）Ｔ１，Ｔ３，Ｔ５・・・）又は降下した状態（タイマーオフの状態、図３（ａ）Ｔ２，Ｔ４・・・）を周期的に出力し、上記切換器１８，２５の電磁プランジャーの上記駆動軸１７，２４を伸縮動作させることが可能である。
【００４０】
従って、上記タイマー回路２６がオンの期間（図３（ａ）Ｔ１，Ｔ３，Ｔ５）、上記駆動信号によって上記切換器１８，２５は共に駆動軸１７，２４を伸張駆動され（図３（ｂ）（ｅ）のＴ１，Ｔ３，Ｔ５）、上記切換片１４ａ，２２ａが各々右音声ライン４ｂ側、右電源ライン１９ｂ側に接続され（右出力状態）（図３（ｃ）（ｆ）のＴ１，Ｔ３，Ｔ５）、左音声ライン４ｃ、左電源ライン１８ｃは開放された状態となり（図３（ｄ）（ｇ）のＴ１，Ｔ３，Ｔ５）、右音声出力端子３ａのみに音声信号が供給され、右電源出力ジャック６にのみ電源（右駆動信号Ｄ１，Ｄ３，Ｄ５・・・）が供給された状態となる（図３（ｃ）（ｄ）（ｆ）（ｇ）のＴ１，Ｔ３，Ｔ５）。
【００４１】
一方、上記タイマー回路２６がオフの期間（図３（ａ）Ｔ２，Ｔ４の期間）、上記駆動信号の消勢によって上記切換器１８，２５による駆動軸１７，２４の伸張が解除され（図３（ｂ）（ｅ）のＴ２，Ｔ４）、上記切換片１４ｂ，２２ｂが各々左音声ライン４ｃ側、左電源ライン１９ｃ側に接続され（左出力状態）（図３（ｄ）（ｇ）の期間Ｔ２，Ｔ４）、右音声ライン４ｂ、右電源ライン１９ｂは開放された状態となり（図３（ｃ）（ｆ）の期間Ｔ２，Ｔ４）、左音声出力端子３ｂのみに音声信号が供給され、左電源出力ジャック７にのみ電源（左駆動信号Ｄ２，Ｄ４・・・）が供給された状態となる（図３（ｃ）（ｄ）（ｆ）（ｇ）のＴ２，Ｔ４）。
【００４２】
よって、上記モノラル音声入力ジャック４に音楽等の音声信号の再生機器の音声出力を接続し、上記ＤＣ入力ジャック９にＤＣ電源装置を接続し、上記ステレオ音声出力ジャック３にステレオヘッドフォン２７（図４参照）を接続し、上記左右の電源出力ジャック６，７に左右の振動器２８ａ，２８ｂ（図４参照）を各々接続した状態で、上記タイマー回路２６が上記オンオフ動作を繰り返すことにより（図３（ａ）Ｔ１，Ｔ２，Ｔ３・・・）、ヘッドフォン２７の右側のスピーカ２７ａのみから音声信号が出力され、右手に握った振動器２８ａのみが振動し、かつ左側のスピーカ２７ｂから音声信号が出力されず、左手に握った振動器２８ｂが振動しない状態が例えばｔ秒間継続し（図３（ｃ）（ｆ）期間Ｔ１）、その後、ヘッドフォン２７の右側のスピーカ２７ａの音声信号が消勢し、右手に握った振動器２８ａの振動が停止し、かつヘッドフォン２７の左側のスピーカ２７ｂのみから音声信号が出力され、左手に握った振動器２８ｂのみが振動する状態がｔ秒間継続する（図３（ｄ）（ｇ）期間Ｔ２）、という動作がｔ秒毎に左右交互に行われるように構成されている。
【００４３】
尚、タイマー回路２６のオンオフの一定時間（時間間隔）ｔは、右耳及び右手、並びに左耳及び左手に交互に刺激が来ることが自覚できる程度の比較的長い間隔、例えば、１秒間〜５秒間の何れかの時間間隔、好ましくは２秒間〜３秒間の何れかの時間間隔が望ましい。また、上記一定時間ｔは、タイマー回路２６内のタイマーの設定を変更することにより、任意に設定変更が可能である。ここでは、ｔ＝３秒とする。
【００４４】
ここで上記一定時間ｔ、即ち上記右出力状態Ｔ１，Ｔ３，Ｔ５・・・、上記左出力状態Ｔ２，Ｔ４，Ｔ６・・・の持続時間を「切換時間ｔ」ともいう。
【００４５】
上記リレー回路１１内の音声左右切換スイッチ部１２、電源左右切換スイッチ部２０はその他にも様々な実施形態が考えられるが、切換器１８，２５に代えて、例えば図５に示すように、リレースイッチ１５’，１６’及びリレースイッチ１５’，１６’をオンオフするためのトランジスタＱ１，Ｑ２を設け、ＣＰＵ２６’により上記トランジスタＱ１，Ｑ２を上記タイミングＴ１，Ｔ２，Ｔ３・・・で交互にスイッチングすることにより構成することもできる。この場合、図５中のリレースイッチ１５’，１６’及びトランジスタＱ１，Ｑ２により構成される切換スイッチ部１２’が、上記音声左右切換スイッチ部（音声切換手段）１２又は電源左右切換スイッチ部（電源左右切換手段）２０を構成し、ＣＰＵ２６’によりタイマー回路（切換信号出力手段）２６が構成されることになる。勿論、上記リレースイッチ１５’，１６’を電子的な切換スイッチとしても良い。
【００４６】
次に、「振動モード」、「光モード」、「双方モード」を択一的に選択するためのモード切換スイッチ４０について説明する。
【００４７】
図２において、右電源ライン１９ｂと左電源ライン１９ｃにおいて、電源左右切換スイッチ部２０と電源出力ジャック６，７との間に、モード切換スイッチ（モード切換スイッチ手段）４０を設ける。このモード切換スイッチ４０は、右電源ライン１９ｂに供給された電源を、右電源出力ジャック６のみに供給する振動器モードのための端子３１ａ、上記電源を右光用の右電源出力ジャック６’のみに供給する光モードのための端子３１ｂ、上記電源を上記右電源出力ジャック６と上記右電源出力ジャック６’の両方に供給する双方モードのための端子３１ｃを有しており、これらの端子３１ａ〜３１ｃに択一的に接触する可動片３２を有している。
【００４８】
上記端子３１ａは上記右電源出力ジャック６に接続されており、上記端子３１ｂは右電源出力ジャック６’に接続されており、上記端子３１ｃは上記右電源出力ジャック６と右電源出力ジャック６’の双方に接続点Ｍ１，Ｍ２を以って接続されている。
【００４９】
また、上記モード切換スイッチ４０は、左電源ライン１９ｃに供給された電源を、左電源出力ジャック７のみに供給する振動器モードのための端子３３ａ、上記電源を左電源出力ジャック７’のみに供給する光モードのための端子３３ｂと、上記電源を上記左電源出力ジャック７と上記左電源出力ジャック７’の両方に供給する双方モードのための端子３３ｃを有しており、これらの端子３３ａ〜３３ｃに択一的に接触する可動片３４を有している。
【００５０】
上記端子３３ａは上記左電源出力ジャック７に接続されており、上記端子３３ｂは右電源出力ジャック７’に接続されており、上記端子３３ｃは上記左電源出力ジャック７と左電源出力ジャック７’の双方に接続点Ｍ３，Ｍ４を以って接続されている。
【００５１】
さらに上記可動片３２と上記可動片３４の双方は接続軸３５’により同一タイミングで可動し得るように接続されており、つまみ４０’をスライドすることにより、上記各モードを択一的に選択し得るように構成されている。
【００５２】
次に、外部接続機器について説明する。
【００５３】
図４に示すように、２７は上記ステレオ音声出力ジャック３に接続される周知のステレオヘッドフォンであり、右耳用のスピーカ２７ａと左耳用のスピーカ２７ｂを有している。このステレオヘッドフォン２７はそのステレオプラグ２７ｃを上記ステレオ音声出力ジャック３に接続することにより、右音声出力端子３ａから入力する右側の音声信号を右側の上記スピーカ２７ａから出力し、左音声出力端子３ｂから入力する左側の音声信号を左側の上記スピーカ２７ｂから出力するものである。
【００５４】
２８ａは右手用の振動器、２８ｂは左手用の振動器であり、片手に握った状態で、内臓する小型振動モータ４６が回転することにより、手のひらに振動による刺激を与えるためのものである（図６、図７参照）。これらの振動器２８ａ，２８ｂは右手用と左手用は同一構造であるので、右手用の振動器２８ａについて説明する。
【００５５】
図６に示すように、振動器２８ａは、手の平にすっぽり収まる大きさの円筒形状の樹脂製の筐体２９と、当該筐体２９内に固定部２９ａにより収納固定された小型振動モータ３８により構成されている。この小型振動モータ３８は、その回転軸３８ａの先端部に回転中心軸ａに対して偏心した状態で接続された錘３７を有している。よって、該小型振動モータ３８を回転駆動すると、上記錘３７が回転中心軸ａに対して偏心した状態で高速で回転するため、その振動が振動器２８ａの筺体２９に伝達され、振動器２８ａ自体が振動し、その振動を掌で感じることができるように構成されている。
【００５６】
この上記小型振動モータ３８は、例えばコアレスのＤＣモータ等により構成することができ、上記左右の電源出力ジャック６，７を介して供給される直流電圧により高速で回転駆動させることができる。また、上記小型振動モータ３８には電源供給コード４７が接続されており、電源供給コード４７の先端に上記右又は左電源出力ジャック６又は７に接続するためのプラグ４８が設けられている。
【００５７】
よって、２つの振動器２８ａ，２８ｂを用意して各々のプラグ４８，４８を上記左又は右電源出力ジャック６，７に各々接続した図４の状態で、上記本体１から上記左又は右電源出力ジャック６，７に、上記タイマー回路２６の動作により交互に左右駆動信号Ｄ１，Ｄ２，Ｄ３・・・が印加されることにより、右側の振動器２８ａが一定時間ｔだけ駆動されて振動し（図３（ｆ）期間Ｔ１）、上記一定時間ｔの経過後に該右側の振動器２８ａの振動が停止し、左側の振動器２８ｂが一定時間ｔだけ駆動されて振動し（図３（ｇ）期間Ｔ２）、上記一定時間ｔの経過後に左側の振動器２８ｂの振動が停止するという、交互の振動動作を繰り返し行うものである（図３（ｆ）（ｇ）Ｔ１，Ｔ２，Ｔ３・・・）。
【００５８】
上記ＤＣ入力ジャック９には外部直流バッテリー３６を接続し、直流電圧を供給する。或いは、ＡＣ電源アダプターを接続して商用電源から変換された直流電圧を供給する。
【００５９】
また、上記モノラル音声信号入力ジャック４には、音楽を再生可能な携帯音楽再生装置（音再生装置）３５の音声出力を接続する。ここで再生される音（音源）は、人間をリラックスさせ、α波等の脳波を誘導するために適したものが考えられ、例えばクラシック音楽等の音楽、波の音、川のせせらぎの音、鳥のさえずりの音等の自然の音等が考えられる。また、例えば、暗記が必要な場合において、暗記の対象となる学習教材、例えば、外国語の文章、会話を音読した音声、外国語の朗読の音声、外国語の単語を音読した音声、法律の条文の読み上げ音声等でも良い。
【００６０】
次に、上記左右の電源出力ジャック６’，７’に接続される発光器４１及びその光駆動装置４５について説明する。
【００６１】
上記光駆動装置４５は、図４、図８に示すように右接続プラグ４４ａと左接続プラグ４４ｂを有しており、上記右接続プラグ４４ａを上記右電源出力ジャック（右光端子）６’に接続し、上記左接続プラグ４４ｂを上記左電源出力ジャック（左光端子）７’に接続する。
【００６２】
従って、上記光駆動装置４５は、上記右電源出力ジャック６’及び左電源出力ジャック７’から、上記右接続プラグ４４ａ，左接続プラグ４４ｂを介して、上記タイマー回路２６の切換時間（一定時間ｔ＝３秒）毎に、交互に左右駆動信号Ｄ１，Ｄ２，Ｄ３・・（図３（ａ）のＴ１，Ｔ２、Ｔ３）が供給されることになる。即ち、期間Ｔ１（一定時間ｔ＝３秒間）、右接続プラグ４４ａから光駆動装置４５に右駆動信号Ｄ１が供給され（右電源供給状態）、その後、期間Ｔ２（一定時間ｔ＝３秒間）左接続プラグ４４ｂから光駆動装置４５に左駆動信号Ｄ２が供給され（左電源供給状態）、かかる動作が３秒毎に繰り返し行われる（図３（ｆ）（ｇ）参照）。
【００６３】
上記発光器４１は、図１０に示すように、細長い棒状の筐体（棒状水平筐体）４１ａの正面に横一列に３６個のＬＥＤ４６が一定間隔で固設されているものであって、当該発光器４１は水平横向きの状態で、使用者の目の高さに設置されるものである。尚、説明の便宜上、図１０において、左端のＬＥＤ４６から右端のＬＥＤ４６に向けて「１番」から「３６番」までの番号を付する。この発光器４１は左右の長さが例えば１ｍで、使用者が全体を目視でき、かつ、左端のＬＥＤ４６の「１番」から右端のＬＥＤ４６の「３６番」まで、顔を左右に振ることなく、目だけでＬＥＤ４６の点灯を追うことができる長さに形成されている。
【００６４】
上記光駆動装置４５は（図８参照）、上記筐体１よりも若干小のコンパクトサイズの直方体形状からなる筐体から形成されている。この光駆動装置４５には、上記右電源供給状態において、上記ＬＥＤ４６を左端（１番）から右端（３６番）に向けて順に点灯させることで、光が左から右に流れるようにし、上記左電源供給状態において、上記ＬＥＤ４６を右（３６番）から左（１番）に向けて順に点灯させることで、光が右から左に流れるようにするための制御部（ＣＰＵ）４３と、当該制御部４３からの駆動信号に基づいて、上記３６個のＬＥＤ４６を３個ずつ駆動するための１２個の駆動回路４２−１〜４２−１２が設けられている。そして、上記発光器４１の上記ＬＥＤ４６は、左側から３個ずつを１組として、上記各駆動回路４２−１〜４２−１２に各々接続されている。ここで、説明の便宜上、上記１２個の駆動回路４２−１〜４２−１２にも、左端の３個のＬＥＤ４６（１番から３番）を駆動する回路から順に「１番」から「１２番」の番号を付する（図８参照）。
【００６５】
上記制御部４３は、図９に示すように、上記右電源供給状態と上記左電源供給状態において、各々切換時間ｔ＝３秒毎に左右の電源信号（左右駆動信号）の入力を受け、演算手段４３ｄで演算された点灯時間ｄにて、右電源供給状態においては右側光駆動手段４３ｂに駆動指令を与え、左電源供給状態においては、上記点灯時間ｄにて左側光駆動手段４３ｃに駆動指令を与える信号受信手段４３ａと、上記各駆動指令に基づいて、上記右電源供給状態の上記切換時間ｔ＝３秒の間に、上記ＬＥＤ４６を１番から３６番までの順に駆動して、上記ＬＥＤ４６を１番から３６番まで、即ち左から右に流れるように点灯させる右側光駆動手段４３ｂと、上記左電源供給状態の上記切換時間ｔ＝３秒の間に、上記ＬＥＤ４６を３６番から１番までの順に駆動して、上記ＬＥＤ４６を３６番から１番まで、即ち右から左に流れるように点灯させる左側光駆動手段４３ｃと、上記駆動回路４２−１〜４２−１２に接続された３個ずつのＬＥＤ４６の上記点灯時間ｄを演算する演算手段４３ｄから構成されている。
【００６６】
上記演算手段４３ｄは、上記右電源供給状態と上記左電源供給状態の上記切換時間ｔ＝３秒の場合は、［ｄ＝ｔ（切換時間）／１２（駆動回路の数又はＬＥＤの数）］の演算により点灯時間ｄを決定する。例えば、本実施形態の場合はｄ＝０．２５秒（＝３／１２）となり、従って、上記右側光駆動手段４３ｂは、上記右電源供給状態の切換時間ｔ＝３秒間において、ｄ＝０．２５秒毎に上記１番の駆動回路４２−１から１２番の上記駆動回路４２−１２にパルス幅＝０．２５秒のパルス状の駆動信号を順次送出する（図１１参照）。よって、上記切換時間ｔ＝３秒間の間に、左端のＬＥＤ４６の３個を１組として「１番〜３番」から、右端のＬＥＤ４６「３４番から３６番」までが３個ずつ、０．２５秒間隔で順次点灯していく。よって、この場合発光器４１の光が左から右に流れるように見える。尚、ここで、上記「点灯」とは３個１組のＬＥＤが同時にｄ秒間点灯し、その後消灯することをいう。
【００６７】
また、上記左側光駆動手段４３ｃは、上記左電源供給状態の切換時間ｔ＝３秒間において、ｄ＝０．２５秒毎に上記１２番の駆動回路４２−１２から１番の上記駆動回路４２−１にパルス幅＝０．２５秒のパルス状の駆動信号を順次送出する（図１２参照）。よって、上記切換時間ｔ＝３秒間の間に、右端のＬＥＤ４６から３個を１組として「３４番〜３６番」から、左側のＬＥＤ４６「１番から３番」までが３個ずつ、０．２５秒間角で順次点灯していく。よって、この場合発光器４１の光が右から左に流れるように見える。
【００６８】
本考案は上述のように構成されるものであるから、以下その動作を説明する。
【００６９】
まずは「振動モード」に設定した場合を説明する。この場合、モード選択スイッチ４０を「振動器モード」に設定する。すると、上記可動片３２，３４は同時に端子３１ａ，３３ａに接続されるため、左右の電源ライン１９ｂ，１９ｃが各々左右電源出力ジャック６，７に接続される。よって、この振動器モードでは、右のスピーカ２７ａから音楽信号が３秒間出力されると同時に、右手の振動器２８ａが３秒間振動し、その後、左のスピーカ２７ｂから音楽信号が３秒間出力されると同時に、左手の振動器２８ｂが３秒間振動し、かかる動作を交互に３秒間毎に繰り返し、これにより聴覚刺激と触覚刺激により脳波を誘導することができる。
【００７０】
より具体的には、図４に示すように、外部直流バッテリー３６の電源コードの先端のプラグ３６ａを上記ＤＣ入力ジャック９に接続し、携帯音楽再生装置３５のイヤホン端子３５ａと上記モノラル音声信号入力ジャック４とを音声出力コードのプラグ３５ｂで接続する。また、ステレオ音声出力ジャック３にステレオヘッドフォン２７のステレオプラグ２７ｃを接続し、該ヘッドフォン２７の左右のスピーカ２７ａ，２７ｂを使用者の左右の耳に各々装着する。さらに、左右の振動器２８ａ，２８ｂを各々用意し、右用の振動器２８ａの接続プラグ４８を右電源出力ジャック６に接続し、左用の振動器２８ｂの接続プラグ４８を左電源出力ジャック７に接続し、使用者は右用の振動器２８ａを右手で握り、左用の振動器２８ｂを左手で握る。
【００７１】
上記状態において、上記携帯音楽再生装置３５において音楽（例えばクラシック音楽とする）を再生状態とし、さらに本体の電源スイッチ５をオンする。
【００７２】
すると、上記外部直流バッテリー３６からの電源が電源スイッチ５’を介してタイマー回路２６、リレー回路１１に供給される。
【００７３】
また、上記筐体１のモノラル音声入力ジャック４に音源としての携帯音楽再生装置３５からクラシック音楽の音声信号が上記モノラル音声入力ジャック４を介して音声信号ライン４ａに入力する。
【００７４】
上記電源の供給により上記タイマー回路２６は動作を開始し、オン時間がｔ秒間隔（３秒間隔）のパルス状の駆動信号を出力する。即ち、図３の（ａ）に示すように一定時間ｔ（３秒）で、リレー回路１１内の切換器１８，２５に同一タイミングで駆動信号を３秒間出力し、その後３秒間駆動信号出力をゼロとする動作を繰り返し行う（図３（ａ）Ｔ１，Ｔ２，Ｔ３・・・参照）。
【００７５】
上記タイマー回路２６の出力が上昇したとき(図３（ａ）期間Ｔ１)、切換器１８と切換器２５の駆動軸１７，２４は伸張し、上記切換片１４ａが端子１５ａ，１５ｂに接続されるため、右音声ライン４ｂから音声信号が右音声出力端子３ａに供給され、該端子３ａを介してヘッドフォン２７の右側のスピーカ２７ａのみから３秒間上記クラシック音楽が放音される（図３（ｃ）期間Ｔ１）。尚、左音声ライン４ｃは開放されているため左側のスピーカ２７ｂからは音声は出力されない（図３（ｄ）期間Ｔ１）。
【００７６】
同時に、上記端子片２２ａが端子２１ａ，２１ｂに接続されるため（図３（ｅ）期間Ｔ１）、右電源ライン１９ｂから右手の振動器２８ａに駆動信号Ｄ１が供給され（図３（ｆ）期間Ｔ１）、右手内の振動器２８ａの小型振動モータ３０が３秒間だけ回転駆動され、右手に３秒間振動が伝えられる。尚、左手内の振動器２８ｂには駆動電圧が供給されないので振動しない（図３（ｅ）（ｇ）期間Ｔ１参照）。
【００７７】
その後、上記タイマー回路２６の出力がゼロになると（図３（ａ）期間Ｔ２）、切換器１８と切換器２５の駆動軸１７，２４は縮小され、上記端子片１４ｂが端子１６ａ，１６ｂに接続されるため左側の音信号ライン４ｃに供給された音声信号が左音声出力端子３ｂに供給され、該端子３ｂを介してヘッドフォン２７の左側のスピーカ２７ｂのみから３秒間上記クラシック音楽が放音される（図３（ｄ）期間Ｔ２）。尚、右側の音信号ライン４ｂは開放されているため右側のスピーカ２７ａからは音声は出力されない（図３（ｃ）期間Ｔ２）。
【００７８】
同時に、上記端子片２２ｂが端子２３ａ，２３ｂに接続されるため（図３（ｅ）期間Ｔ２）、左電源ライン１９ｃから左手の振動器２８ｂに駆動振動Ｄ２が供給され（図３（ｇ）期間Ｔ２）、左手内の振動器２８ｂの小型振動モータ３０が３秒間だけ回転駆動されるため、左手に３秒間振動が伝えられる。尚、右手内の振動器２８ａには駆動電圧が供給されないので振動しない（図３（ｆ）期間Ｔ２）。
【００７９】
このように、上記タイマー回路２６の出力の３秒毎の上昇下降に基づいて、右耳のスピーカ２７ａのみから３秒間クラシック音楽が放音され、同時に右手内の振動器２８ａのみが３秒間振動し、その後、左耳のスピーカ２７ｂのみからクラシック音楽が３秒間放音され、同時に左手内の振動器２８ｂのみが３秒間振動する、という交互動作がｔ＝３秒毎に繰り返し行われる。かかる動作は、図３（ｃ）（ｄ）、（ｆ）（ｇ）に示すように、３秒毎に繰り返し行われる（図３Ｔ１，Ｔ２，Ｔ３・・・・参照）。即ち、一定時間ｔ毎に上記左右のスピーカ２７ａ，２７ｂから上記クラシック音楽を交互に出力させ、かつ上記音声信号の交互出力タイミングと同一のタイミングで上記振動器２８ａ，２８ｂを左右交互に振動させる動作を行う。
【００８０】
このような動作において、使用者は、左右のスピーカ２７ａ，２７ｂから左右の耳に３秒毎に交互に音声信号（クラシック音楽）が与えられ、左右の耳から交互に聴覚が刺激されると共に、クラシック音楽が出力される左右のタイミングと同一のタイミングで、左右の振動器２８ａ，２８ｂにより、左手と右手に交互に振動が与えられ、左右の手の触覚が交互に刺激される。即ち、右耳及び右手に聴覚刺激と触覚刺激が３秒間同時に与えられ、その後、左耳及び左手に聴覚刺激と触覚刺激が３秒間同時に与えられるという動作が左右交互に繰り返し行われる。これにより、使用者の脳における右脳と左脳に交互に刺激が与えられ、右脳と左脳の刺激のキャッチボールが促進され、効果的にα波等の脳波を誘導することができ、リラックス効果、集中力の強化等の効果を得ることができる。
【００８１】
また、上記スピーカにて再生されるクラシック音楽は、左右のスピーカから交互に再生されるが、音楽としては１つの連続した音楽として聞くことができるため、クラシック音楽として途切れることもなく違和感なく聞くことができる。
【００８２】
従って、例えば外国語の習得のために外国語会話の音声等を音源として用いても、当該会話音声が左右のスピーカから交互に再生されるが、会話音声として途切れることなく自然に聞くことができるため、上記振動器の交互振動と相俟って、脳波を誘導して集中力を高めながら、同時に外国語会話の勉強、外国語単語の暗記等を行うことができ、リラックス効果だけに留まらず、各種の暗記、学習装置としても極めて有効である。
【００８３】
また、使用者は、かかる動作中において、目で光を見る必要がないので、目を閉じた状態で、聴覚と触覚の一定間隔毎（３秒間毎）の左右交互の刺激を受けることができる。よって、目を開けて光を見る状態の従来の装置に比べて、目を閉じた状態で聴覚刺激と触角刺激を交互に受けることができるので、より集中力を高めた状態で、効果的に脳波を誘導することができる。
【００８４】
次に、「光モード」を選択する場合は、発光器４１が接続された光駆動装置４５の右接続プラグ４４ａを右光用の右電源出力ジャック６’に接続し、左接続プラグ４４ｂを左光用の左電源出力ジャック７’に接続し、発光器４１を使用者の目の高さで、その全体のＬＥＤ４６が視界に入る位置に設置固定し、かつ使用者はヘッドフォン２７を両方の耳に装着する（図４参照）。尚、使用者と発光器４１は、ＬＥＤ４６の全体が使用者の視野に入る程度の適切な距離を保つ。
【００８５】
そして、上記モード選択スイッチ４０を「光モード」に設定すると、上記可動片３２，３４は同時に端子３１ｂ，３３ｂに接続されるため、左右の電源ライン１９ｂ，１９ｃが各々左右電源出力ジャック６’，７’に接続される。よって、音声については、右のスピーカ２７ａのみから音楽信号が３秒間出力され（右駆動状態）、その後、左のスピーカ２７ｂのみから音楽信号が３秒間出力される（左駆動状態）動作が３秒毎に繰り返される。かかる音声についての動作は上記「振動モード」と同様である。
【００８６】
また、同時に、上記右電源出力ジャック６’に３秒間の駆動信号（図１１の右駆動信号Ｄ１）が出力され（右駆動状態、左電源出力ジャック７’の出力はゼロ）、その後上記左電源出力ジャック７’に３秒間の駆動信号（図１２の左駆動信号Ｄ２）が出力される（左駆動状態、右電源出力ジャック６’の出力はゼロ）動作が、３秒毎に繰り返し行われる（切換時間ｔ＝３秒）。
【００８７】
上記各左右交互の駆動信号（Ｄ１，Ｄ２，Ｄ３・・・）は光駆動装置４５の制御部４３に入力し、当該制御部４３の信号受信手段４３ａにて受信される（図９参照）。上記信号受信手段４３ａは上記右駆動信号Ｄ１が入力すると、右側光駆動手段４３ｂに右駆動指令を与える。
【００８８】
上記右側光駆動手段４３ｂは上記右駆動指令の受信に基づいて、上記切換時間（一定時間）ｔ＝３秒間の間に、点灯時間ｄ＝０．２５秒のパルス状の駆動信号を駆動回路４２−１から４２−１２に順次送出する（図１１参照）。すると、図８、図１１に示すように、駆動回路４２−１（１番）から左端の「１番から３番」の３個のＬＥＤ４６に駆動パルス信号が送出され、これにより左端の「１番〜３番」の３個のＬＥＤ４６が０．２５秒間同時に点灯し、その後同時に消灯し、次に、駆動回路４２−２（２番）から「４番から６番」の３個のＬＥＤ４６に駆動パルス信号が送出され、これにより「４番から６番」の３個のＬＥＤ４６が０．２５秒間同時に点灯し、その後同時に消灯するという動作が順次行われ、最後に駆動回路４２−１２（１２番）から「３４番から３６番」の３個のＬＥＤ４６に駆動パルス信号が送出され、これにより右端の「３４番から３６番」の３個のＬＥＤ４６が０．２５秒間同時に点灯するという動作が行われる。
【００８９】
従って、図１０に示すように、上記切換時間ｔ＝３秒間の間に、発光器４１の左端の「１番」のＬＥＤ４６から「３６番」のＬＥＤ４６まで、左から右（矢印Ａ参照）にＬＥＤ４６が流れるように点灯していくことになる。
【００９０】
よって使用者は、右側のスピーカ２７ａから３秒間、音楽信号を聞くと同時に、当該３秒の期間に、発光器４１のＬＥＤ４６が左端（１番）から右端（３６番）まで流れるように点灯するので、当該ＬＥＤ４６の左から右への点灯を継続的に目で追うことができる。
次に、上記信号受信手段４３ａは上記左駆動信号Ｄ２が入力すると、左側光駆動手段４３ｃに左駆動指令を与える。
【００９１】
上記左側光駆動手段４３ｃは上記左駆動指令の受信に基づいて、上記切換時間ｔ＝３秒間の間に、点灯時間ｄ＝０．２５秒のパルス状の駆動信号を、今後は、駆動回路４２−１２から４２−１に順次送出する（図８、図１２参照）。すると、駆動回路４２−１２（１２番）から右端の「３４番から３６番」の３個のＬＥＤ４６に駆動パルス信号が送出され、これにより右端の「３４番〜３６番」の３個のＬＥＤ４６が０．２５秒間同時に点灯し、その後同時に消灯し、次に、駆動回路４２−１１（１１番）から「３１番から３３番」の３個のＬＥＤ４６に駆動パルス信号が送出され、これにより「３１番から３３番」の３個のＬＥＤ４６が０．２５秒間同時に点灯し、その後同時に消灯するという動作が順次行われ、最後に駆動回路４２−１（１番）から「１番から３番」の３個のＬＥＤ４６に駆動パルス信号が送出され、これにより左端の「１番から３番」の３個のＬＥＤ４６が０．２５秒間同時に点灯するという動作が行われる。
【００９２】
従って、図１０に示すように、上記切換時間ｔ＝３秒間の間に、右端の３６番のＬＥＤ４６から左端の１番のＬＥＤ４６まで、右から左に（矢印Ｂ参照）、ＬＥＤ４６が流れるように点灯していくことになる。
【００９３】
よって使用者は、左側のスピーカ２７ｂから３秒間、音楽信号を聞くと同時に、当該３秒の期間に、発光器４１のＬＥＤ４６が右端（３６番）から左端（１番）まで流れるように点灯するので、当該ＬＥＤ４６の右から左への点灯を継続的に目で追うことができる。
【００９４】
上述のような動作は、左右交互の上記左右駆動信号Ｄ１，Ｄ２，Ｄ３・・・が入力する度に左右交互に行われるため、使用者は右のスピーカ２７ａのみから右耳に音楽信号が３秒間再生されると共に、当該３秒間の間、発光器４１の左端（１番）から右端（３６番）に流れるように点灯するＬＥＤ４６を目で追うことができ、その後、左のスピーカ２７ｂのみから音楽信号が３秒間再生されると共に、当該３秒間の間、発光器４１の右端（３６番）から左端（１番）に流れるように点灯するＬＥＤ４６を目で追うことができる。そして、かかる動作が３秒毎に左右交互に繰り返し行われる。
【００９５】
この場合、発光器４１のＬＥＤ４６の点灯は、左右に流れるように点灯するので、使用者はＬＥＤ４６の点灯の流れを目で追うことで、右から左又は左から右への移行中に目を閉じたり、視線を発光器４１から外すことを防止することができ、集中力を持続的に維持することが可能となる。
【００９６】
特に、各個別のＬＥＤ４６の点灯時間ｄ（本実施形態の場合は、３個を１組とした点灯時間ｄ）は、駆動信号の切換時間ｔ（＝３秒）とＬＥＤ４６の数（本実施形態の場合は、３個ずつの全１２個）に基づいて決定しているので、左右の駆動信号の切換時間ｔ（＝３秒）の間に、発光器４１の左端（１番）又は右端（３６番）から右端（３６番）又は左端（１番）のＬＥＤ４６まで確実に移動することができ（図１１、図１２参照）、これにより音楽信号の左右の切り換え動作に完全に同期して、発光器４１のＬＥＤ４６の点灯を左右に流すことができ、使用者は集中力を高めることができる。
【００９７】
即ち、図３に示すように、右側の駆動信号Ｄ１が消勢した時刻Ｓ２に、左側の駆動信号Ｄ２が入力し、左側の駆動信号Ｄ２が消勢した時刻Ｓ３に、右側の駆動信号Ｄ３が入力する、という動作となるため、右側の駆動信号Ｄ１にける上記時刻Ｓ２においては、右側に流れてきた点灯動作が、確実に右端のＬＥＤ４６（本実施形態では３４番から３６番の３個のＬＥＤ４６）の点灯で終了し、その後、左側の駆動信号Ｄ２の入力により、時刻Ｓ２のタイミングで左側に流れるＬＥＤ４６の点灯動作が、確実に右端のＬＥＤ４６（本実施形態では３４番から３６番の３個のＬＥＤ４６）の点灯で開始される、という動作となり（以下、時刻Ｓ３，Ｓ４，Ｓ５・・においても同じ）、音楽信号の左右の切り換えタイミングに完全に同期して、ＬＥＤ４６を左右に流すことができる。これにより、使用者の集中力を効果的に高めることができるものである。このように、「光モード」では、聴覚刺激と視覚刺激により脳波を誘導することができる。
【００９８】
よって、上記右側光駆動手段４３ｂは、上記一定期間ｔの開始タイミング（例えば図３の時刻Ｓ３）と左端（１番〜３番）のＬＥＤ４６の点灯タイミングが一致し、上記一定時間ｔの終了タイミング（図３の時刻Ｓ４）と右端（３４番から３６番）のＬＥＤ４６の点灯のタイミングが一致するように、左から右にＬＥＤ４６を流れるように順次点灯させることができる。
【００９９】
また、上記左側光駆動手段４３ｃは、上記一定期間ｔの開始タイミング（例えば図３の時刻Ｓ４）と右端（３４番から３６番）のＬＥＤ４６の点灯タイミングが一致し、上記一定時間ｔの終了タイミング（図３の時刻Ｓ５）と左端（１番から３番）のＬＥＤ４６の点灯のタイミングが一致するように、右から左にＬＥＤ４６を流れるように順次点灯させることができる。
【０１００】
これにより、右側の音楽信号の開始タイミングと発光器４１のＬＥＤ４６の左端から右端への点灯開始タイミングが一致し、右側の音声信号の終了タイミングと発光器４１の左端から右端への点灯終了タイミングが一致し、左側の音楽信号の開始タイミングと発光器４１の右端から左端への点灯開始タイミングが一致し、左側の音声信号の終了タイミングと発光器４１の右端から左端への点灯終了タイミングが一致するため、発光器４１の左右への流れと音楽信号の左右の切り換えが完全に同期することになり、より効果的に集中力を高めることができる。
【０１０１】
次に、「双方モード」を選択する場合は、使用者は、発光器４１を視界に入る位置に設置し、かつ使用者はヘッドフォン２７を両方の耳に装着し、さらに左右の振動器２８ａ，２８ｂを左右の手のひらに握る。
【０１０２】
かかる状態において、上記モード選択スイッチ４０を「双方モード」に設定すると、上記可動片３２，３４は同時に端子３１ｃ，３３ｃに接続されるため、左右の電源ライン１９ｂ，１９ｃが各々左右の電源出力ジャック６，７及び左右の電源出力ジャック６’，７’に接続される。よって、右のスピーカ２７ａから音楽信号が３秒間出力されると同時に、右の振動器２８ａが３秒間振動し、同時に発光器４１が左端から右端まで流れるように点灯し（左のスピーカ２７ｂは消音、左の振動器２８ｂは非振動状態）、その後、左のスピーカ２７ｂから音楽信号が３秒間出力されると同時に、左の振動器２８ｂが３秒間振動し、同時に、発光器４１が右端から左端まで流れるように点灯し（右のスピーカ２７ａは消音状態、右の振動器２８ａは非振動状態）、かかる動作を交互に３秒間毎に繰り返し、これにより聴覚刺激と触覚刺激と視覚刺激により効果的に脳波を誘導することができる。
【０１０３】
このように、聴覚刺激と触覚刺激、聴覚刺激と視覚刺激、又は、聴覚刺激と触覚刺激と聴覚刺激の３種類のモードを簡単に選択して脳波を誘導することができるため、使用者の好みや体調、或いは使用目的（リラックス、学習等）に合わせて、最適な刺激を受けることができ、より効果的に脳波を誘導することができる。
【０１０４】
本考案は以上のように、上記一定時間ｔに、右側スピーカ２７ａのみから例えば音楽信号が出力され、当該一定時間ｔにおいて発光器４１のＬＥＤ４６が左端から右端に向かって流れるように順次点灯し、次の一定時間ｔに、左側のスピーカ２７ｂのみから上記音楽信号が出力され、当該一定時間ｔにおいて発光器４１のＬＥＤ４６が右端から左端に向かって流れるように順次点灯し、このような動作が左右繰り返し連続して行われる。従って、眼鏡型フレーム等の装着物を装着することなく、使用者は右側スピーカ２７ａが再生されるときは、発光器４１の右側に向かうＬＥＤ４６の点灯を目で追うことができ、左側スピーカ２７ｂが再生されるときは、発光器４１の左側に向かうＬＥＤ４６の点灯を目で追うことができる。これにより、使用者の視線は常に発光器４１のＬＥＤ４６の点灯の流れに誘導されることになり、視線が発光器４１から他の方向にずれることがない。よって、使用者の集中力を効果的に高めることができ、脳波を円滑に誘導することができる。
【０１０５】
また、右側の音楽信号の開始タイミング（Ｓ１）と発光器４１の左端から右端への点灯開始タイミングが一致し、右側の音声信号の終了タイミング（Ｓ２）と発光器４１の左端から右端への点灯終了タイミングが一致し、左側の音楽信号の開始タイミング（Ｓ２）と発光器４１の右端から左端への点灯開始タイミングが一致し、左側の音声信号の終了タイミング（Ｓ３）と発光器４１の右端から左端への点灯終了タイミングが一致するため、発光器４１の左右への流れと音楽信号の左右の切り換えが完全に同期することになり、より効果的に集中力を高めることができる。
【０１０６】
また、音声信号による聴覚への刺激と、上記発光器４１のＬＥＤ４６の左右への流れによる視覚刺激に加えて、振動器２８ａ，２８ｂによる触覚への刺激を同期して行うことができ、より効果的に脳波を誘導することができる。
【０１０７】
また、音声信号による刺激を基本としながら、音声信号による刺激に同期して、振動器２８ａ，２８ｂによる触覚への刺激、又は、発光器４１による視覚への刺激、又は、振動器２８ａ，２８ｂ及び発光器４１の両方による触覚と視覚への同時刺激の３パターンを任意に選択することができ、状況に応じて、最適な刺激を選択して、効果的な脳波の誘導を行うことができる。
【産業上の利用可能性】
【０１０８】
本考案にかかる脳波誘導装置は、例えばスポーツの試合前に使用して集中力を上昇させることが可能であるし、精神的に不安定な状態を安定させる医療器具として使用できるし、再生音声を外国語及び和訳で構成することにより、外国語を暗記するための学習装置としても利用することができる。
【符号の説明】
【０１０９】
１              脳波誘導装置の筐体
６              右電源出力ジャック（右電源出力端子）
６’            右電源出力ジャック（右電源出力端子）
７              左電源出力ジャック（左電源出力端子）
７’            左電源出力ジャック（左電源出力端子）
２６            タイマー回路（切換信号出力手段）
２７ａ          右スピーカ
２７ｂ          左スピーカ
２８ａ          右振動器
２８ｂ          左振動器
４０            モード切換スイッチ（モード切換スイッチ手段）
４１            発光器
４３ａ          信号受信手段
４３ｂ          右側光駆動手段
４３ｃ          左側光駆動手段
４５            光駆動装置
４６            ＬＥＤ
Ｄ１，Ｄ３・・  右駆動信号
Ｄ２，Ｄ４・・  左駆動信号
【図１】
0003198861.tif 000003
【図２】
0003198861.tif 000004
【図３】
0003198861.tif 000005
【図４】
0003198861.tif 000006
【図５】
0003198861.tif 000007
【図６】
0003198861.tif 000008
【図７】
0003198861.tif 000009
【図８】
0003198861.tif 000010
【図９】
0003198861.tif 000011
【図１０】
0003198861.tif 000012
【図１１】
0003198861.tif 000013
【図１２】
0003198861.tif 000014
【手続補正書】
【提出日】平成27年5月26日(2015.5.26)
【手続補正１】
【補正対象書類名】実用新案登録請求の範囲
【補正対象項目名】請求項２
【補正方法】変更
【補正の内容】
【請求項２】
上記右側光駆動手段は、上記右駆動状態における上記一定時間の開始タイミングと左端のＬＥＤの点灯タイミングが一致し、上記右駆動状態における上記一定時間の終了タイミングと右端のＬＥＤの点灯のタイミングが一致するように、左から右にＬＥＤを流れるように順次点灯させるものであり、
上記左側光駆動手段は、上記左駆動状態における上記一定時間の開始タイミングと右端のＬＥＤの点灯タイミングが一致し、上記左駆動状態における上記一定時間の終了タイミングと左端のＬＥＤの点灯のタイミングが一致するように、右から左にＬＥＤを流れるように順次点灯させるものである請求項１記載の脳波誘導装置。
【手続補正２】
【補正対象書類名】実用新案登録請求の範囲
【補正対象項目名】請求項４
【補正方法】変更
【補正の内容】
【請求項４】
上記発光器の上記ＬＥＤを左右に流れるように点灯させる「光モード」と、上記振動器を左右交互に振動させる「振動モード」と、上記ＬＥＤの点灯と上記振動器の振動を同期して行う「双方モード」とを切換え可能なモード切換スイッチ手段を設けたものであることを特徴とする請求項３に記載の脳波誘導装置。